【事件の表示】
　特願２０００−５３２８３９「エレクトロルミネッセントデバイス」拒絶査定不服審判事件〔平成１１年　８月２６日国際公開、ＷＯ９９／４２９８３、平成１４年　２月１２日国内公表、特表２００２−５０４７１７〕について、次のとおり審決する。
【結　論】
　本件審判の請求は、成り立たない。
【理　由】
１．手続の経緯 
　本願は、平成１１年２月５日を国際出願日（パリ条約による優先権主張１９９８年２月１８日、イギリス）とする出願であって、平成１６年２月２日付けで拒絶理由が通知され、平成１６年８月１０日付けで明細書に係る手続補正がなされたが、平成１６年９月６日付けで拒絶査定がなされ、これに対して、平成１６年１２月１３日に拒絶査定に対する審判請求がなされるとともに平成１７年１月１２日付けで明細書に係る手続補正がなされたが、当審において、平成１９年４月１０日付けで平成１７年１月１２日付けの前記手続補正を却下すると共に、同日付けで拒絶理由が通知され、平成１９年１０月１２日付けで意見書が提出されたものである。
　　
２．平成１７年１月１２日付けの手続補正について 
　請求人は、平成１９年１０月１２日付けの意見書において、当審が平成１９年４月１０日付けで平成１７年１月１２日付けの前記手続補正を却下した決定が誤りである旨を専ら主張しているので、この主張の是非について最初に検討する。
　　
（１）本願補正発明
　本願の特許請求の範囲は、平成１７年１月１２日付けの手続補正により補正されたところ、その請求項１に係る発明（以下、「本願補正発明」という。）は、以下のとおりのものである。
　「複数の有機発光ピクセルを有する有機発光領域と、 
　個々のピクセルに対応して設けられ、前記ピクセルに加える電力を切り換えるためのスイッチングトランジスタを有するスイッチ手段と、 
　前記各スイッチ手段を駆動する駆動手段と、を具備してなり、　 
　前記駆動手段は、前記各スイッチ手段が完全オフ状態と完全オン状態とを３０Ｈｚまたはそれ以上の周期で繰り返すように駆動して前記対応するピクセルを発光させ、前記ピクセルの平均輝度を変化させるように前記完全オフ状態および前記完全オン状態の期間を可変として所望の輝度を得るようにし、さらに前記スイッチ手段が表示フレーム当たり一回以上オンオフされる、
ことを特徴とする有機発光デバイス。 」
　　　
（２）平成１９年４月１０日付けでなされた補正の却下の決定の要約
　平成１９年４月１０日付けでなされた補正の却下の決定は、本願補正発明が下記の刊行物１及び２に記載の発明に基いて当業者が容易に発明をすることができたものであるから、特許出願の際独立して特許を受けることができるものではないとして、平成１７年１月１２日付けの手続補正は、特許法第１７条の２第５項において準用する同法第１２６条第５項の規定に違反するものであり、特許法第１５９条第１項において読み替えて準用する同法第５３条第１項の規定により却下するというものである。
　刊行物１：特開平９−１１４４１４号公報
　刊行物２：国際公開９６／３６９５９号
　　　　　（対応公表公報　特表平１０−５０３６０５号公報）
　刊行物３：特開平８−２３４６８３号公報
　刊行物４：特開平８−１６０９１１号公報
　刊行物５：特開平１０−１２３７７号公報
　　　
（３）引用刊行物に記載の発明
（３−１）刊行物１に記載の発明
　本願の優先権主張の日前に頒布された刊行物である特開平９−１１４４１４号公報（以下、「刊行物１」という。）には、図面とともに、次の事項が記載されている。
１ａ．「【請求項１】互いに平行な複数本の走査電極群と、それと直交する複数本のデータ電極群と、両電極群の交点の画素ひとつひとつに設けられたスイッチング素子と、該スイッチング素子に接続された、当該素子に印加されるストレス電圧実効値により輝度変調できる輝度変調素子とから構成され、かつ１フィールド期間内を複数個のサブフィールド期間に分割し、サブフィールド期間の１個または複数個の期間に画素を点灯させることにより輝度調整が行われる画像表示装置において、前記ストレス電圧実効値を前記サブフィールド期間に応じて変化させる駆動手段を有することを特徴とする画像表示装置。」
１ｂ．「【０００２】【従来の技術】互いに直交する電極群の交点を画素とし、各画素への印加電圧を調整することにより画像を表示するマトリクス・ディスプレイには、液晶ディスプレイの他、フィールド・エミッション・ディスプレイ（ＦＥＤ）、エレクトロ・ルミネッセンス・ディスプレイ（ＥＬＤ）などがある。例えば、ＦＥＤは、特開昭６１−２２１７８３号公報に記載されているように、各画素に微小な電界放出陰極を多数配置し、そこからの電界放出電子を真空中で加速したのち螢光体に照射し、発光させるものである。
【０００３】これらのマトリクス・ディスプレイでは、通常、線順次駆動法が用いられる。すなわち、ある一瞬では、Ｎ本の走査線のうち、ある１行上の画素しか発光していない。従って、ディスプレイの輝度は走査線数が増えるにつれて、１／Ｎに比例して低くなる。
【０００４】この問題を解決するために、各画素にスイッチング素子を設けて各画素のオン・オフ状態を記憶する、アクティブ・マトリクス駆動法が開発されている。ＥＬＤにアクティブ・マトリクス駆動法を用いた例が、例えば、“アイ・トリプルイー・トランザクションズ・オン・エレクトロン・デバイスィズ、ＥＤ−２２巻、９号（１９７５年）７３９〜７４８頁（IEEE Ｔransactions on Electron Devices, Vol. ED-22, No9, (1975) pp.739-748）”に記載されている。図２はこの文献に記載された各画素のスイッチング素子の構成である。走査電極２１に正電圧を印加するとトランジスタＡ（ＴｒＡ）３１がオン状態になるので、データ電極２２への印加電圧がそのまま保持容量Ｃａ３３に蓄積される。従って、データ電極２２に十分大きな正電圧が印加されていれば、トランジスタＢ（ＴｒＢ）３２も導通状態になるので、スイッチ素子電極３５がアース電位になる。従って、スイッチ素子電極３５をエレクトロ・ルミネッセンス素子の下部電極とし、もう一方の電極５１に電圧を印加しておくと、ＥＬ素子の両端に電圧が印加される。一方、データ電極２２をアース電位にした場合には、トランジスタＢ３２がオフのままなので、ＥＬ素子には電圧が印加されない。この状態はトランジスタＡ３１がオフになっても保たれる。すなわち、もう一度走査電極に正電圧を印加してトランジスタＡ３１をオン状態にするまで、ＥＬ素子に電圧が印加され続け、発光し続ける。
【０００５】このようなアクティブ・マトリクス駆動のディスプレイで階調を表示する方法は二つある。その一つは、「電圧変調法」で、データ電極２２に印加する電圧を調整して、トランジスタＢ３２のゲート電圧を調整し、トランジスタＢ３２を非飽和領域で動作させる。すると、ゲート電圧に応じてトランジスタＢ３２のインピーダンスが変化するので、ＥＬ素子に印加される電圧も変化し、輝度が変えられる。
【０００６】もう一つは、「時分割階調表示法」である。これは１フィールド期間中の発光時間を変えることにより階調を変えるものである。図３は、時分割階調表示法で１６階調を表示するときの駆動シーケンスを示したものである。縦軸は、１番目の走査電極からＮ番目の走査電極を示し、横軸は時刻を示す。１フィールド期間を４つのサブフィールド期間に分割する。ｎ番目（ｎ＝０、１、２、３）のサブフィールド期間（ビットｎ（Ｂｎ）と呼ぶ）の長さが、２のｎ乗に比例するように、各サブフィールド期間の長さを決める。すると、どのビットを点灯するかによって、１６階調の表示ができる。例えば、全ビットを点灯させたときの輝度は、ビット０のみを点灯させたときの１５倍になる。」
１ｃ．「【０００７】【発明が解決しようとする課題】電圧変調法により階調表示を行う場合には、トランジスタＢ３２の非飽和領域で動作させるので、画面全体で均一な表示を行うには、デイスプレイ中の全画素のトランジスタＢ３２の電流−電圧特性を揃える必要があり、製造が困難であった。また、非飽和領域での動作のため、特にトランジスタＢ３２を高インピーダンスで動作させる場合には、トランジスタＢでの電力消費が多くなり問題であった。さらに、データ線を駆動する駆動回路は、例えば２５６階調表示の場合には、２５６種の電圧レベルを出力させるため、複雑な回路を必要とし、しかも、それがデータ線の本数と同じ数だけ必要であるため、駆動回路のコストが高かった。
【０００８】一方、時分割階調表示法では、各サブフィールドごとに各画素の点灯・非点灯を選択する（アドレス）必要がある。図３の斜め線は、どの時刻で、アドレスを行うかを示している。同時に２本の走査電極をアドレスすることはできないので、図３からわかるように、１走査電極あたりのアドレス時間は、最小時間幅のサブフィールド期間、すなわち、図３の場合では、ビット０の時間長さを走査電極本数Ｎで割ったもの以下でなければならない。通常のテレビ画像表示では、２５６階調表示が必要なので、ビット数Ｎｂは８となり、また、１フィールドは１６．６ｍｓである。」
１ｄ．「【００１４】本発明では、各画素でのスイッチングは、その画素を点灯するか、しないかのオン・オフの選択でよいことが重要である。従って、各画素のスイッチング素子は、飽和領域で動作させればよく、電流−電圧特性の均一性に対する要求は、前述の電圧変調法の場合と比べて、大幅に緩和される。また、各画素のスイッチング素子での消費電力は、最小限に抑えられる。さらに、データ電極の印加電圧は２値で良いため、駆動回路が大幅に簡略化される。」
１ｅ．「【００１９】スイッチ素子アレイ３０は、各画素のオン・オフを選択するスイッチ素子をアレイ状に設けたものである。その回路構成を図２４に示した。この回路の動作シーケンスについては、すでに述べた。なお、図２４では、輝度変調素子４１と制御電極５１も記されているが、スイッチ素子アレイ３０には、これらは含まれない。
【００２０】スイッチ素子アレイ３０は、ＳＯＩ（Silicon On Insulator）構造のシリコン基板上に製作する。１画素中のスイッチング素子の構造を図５（平面レイアウト図）と図６（断面図）に示す。
【００２１】シリコン基板３６１上にＳｉＯ2層３６２を設け、その上にｐ型シリコン単結晶層３６３を作成したＳＯＩ基板を使用する。トランジスタＡ３１は、ゲート３１１、ソース３１２、ドレイン３１３、ゲート酸化膜３６５から構成される。トランジスタＢ３２は、ゲート３２１、ソース３２２、ドレイン３２３、ゲート酸化膜３６５から構成される。トランジスタＡ３１とトランジスタＢ３２とは、フィールド酸化膜３６４により素子分離されている。トランジスタＡ３１のドレイン３１３とトランジスタＢ３２のゲート３２１は、Ａｌなどを用いた容量電極３３１により互いに接続されている。容量電極３３１は図５からわかるように、アース電極２３との間で保持容量Ｃｓ３３を形成する。」
１ｆ．「【００３８】次に、本発明の実施の形態の第４の例として、輝度変調素子４１にエレクトロ・ルミネッセンスを用いた例を図１３を用いて説明する。スイッチ素子アレイ３０上のスイッチ素子電極３５の間に電極間絶縁層５５５をＡｌ2Ｏ3等で形成し、表面を平坦化する。次に下部絶縁層５５１を電子ビーム蒸着法などで形成する。下部絶縁層５５１は、膜厚５０ｎｍ程度のＡｌ2Ｏ3と膜厚５０ｎｍ程度のＹ2Ｏ3を積層した構造などを用いる。その上に発光層５５２として、ＺｎＳ：Ｍｎなどを０．５〜１μｍ程度の膜厚で、熱蒸着法などで形成する。その上にさらに上部絶縁層５５３として、下部絶縁層５５１と同様なＹ2Ｏ3／Ａｌ2Ｏ3／Ｙ2Ｏ3等で形成した後、制御電極５１をＩＴＯなどの透明導電膜で画像表示装置全面に形成する。すなわち、図２の回路構成に相当する。最後に、膜厚５００ｎｍ程度のＡｌ2Ｏ3などで画像表示装置全体を覆い、保護膜５５４とする。保護層５５４を形成することにより、発光層への水分の侵入を防ぎ、発光層の経時劣化を防ぐことができ、長寿命化を達成できる。
【００３９】駆動回路への結線方法は、図９に示したとおりである。ただし、この例の場合、加速電極５２５に対応する電極はないので、加速電極駆動回路２２５は不要である。また、制御電極５１は全画素共通なので、制御電極駆動回路２５１も１個でよい。各電極への印加電圧波形を図２５に示した。これは、図４に示したような、アドレス期間１０３と輝度発生期間１０４とを分離した構成である。時刻ｔ０〜〜ｔ３の期間がビット０のサブフィールドのアドレス期間である。この期間で、各画素のスイッチ素子電極３５がアース電位になるかフローティング電位になるかが選択される。時刻ｔ３〜ｔ４の期間は輝度発生期間で、アース電位の画素は発光するし、フローティング電位の画素は発光しない。同様に、時刻ｔ４〜ｔ７がビット１のサブフィールドのアドレス期間で、時刻ｔ７〜ｔ８が輝度発生時間である。Ｖ1、Ｖ2は５０〜２００Ｖ程度である。」
１ｇ．上記摘記事項「１ｂ．」及び「１ｃ．」の記載によれば、エレクトロ・ルミネッセンス・ディスプレイ（ＥＬＤ）にアクティブ・マトリクス駆動法を用いて、時分割階調表示法により階調を表示する場合には、各画素を形成するエレクトロ・ルミネッセンス素子の点灯・非点灯に応じて、スイッチング素子を構成するトランジスタＢ３２をオン・オフ状態に切り換えるから、上記摘記事項「１ｄ．」に記載のように、各画素に設けられるスイッチング素子が飽和領域で動作するオン状態と全く動作しないオフ状態との間で動作するように駆動手段により駆動されるものであることは明らかである。
１ｈ．また、前記エレクトロ・ルミネッセンス・ディスプレイ（ＥＬＤ）は、各画素を形成するエレクトロ・ルミネッセンス素子をマトリクス配置することにより発光領域を構成するものといえるから、すなわち、複数のエレクトロ・ルミネッセンス素子を有する発光領域を具備するものである。
　
　上記摘記事項１ａ．乃至１ｆ．及び上記認定事項１ｇ．乃至１ｈ．からみて、刊行物１には次の発明（以下、「刊行物１に記載の発明」という。）が記載されているものと認められる。
　「複数のエレクトロ・ルミネッセンス素子を有する発光領域と、
　個々のエレクトロ・ルミネッセンス素子に対応して設けられ、前記エレクトロ・ルミネッセンス素子に印加する電圧をオン・オフ状態に切り換えるためのトランジスタＢ３２を有するスイッチング素子と、
　前記各スイッチング素子をアクティブ・マトリクス駆動法を用いて駆動する駆動手段と、を具備してなり、
　前記駆動手段は、前記各スイッチング素子が飽和領域で動作するオン状態と全く動作しないオフ状態との間で動作するように駆動して、前記対応するエレクトロ・ルミネッセンス素子の点灯・非点灯が選択されるように発光させ、前記エレクトロ・ルミネッセンス素子の１フィールド期間中の発光時間を変えることにより階調を変えるべく、１フィールド期間内を複数個のサブフィールド期間に分割し、サブフィールド期間の１個または複数個の期間に画素を点灯させる時分割階調表示法により輝度調整を行うようにするエレクトロ・ルミネッセンス・ディスプレイ。」
　　
（３−２）刊行物２に記載の発明
　本願の優先権主張の日前に頒布された刊行物である国際公開９６／３６９５９号（以下、「刊行物２」という。）には、図面とともに、次の事項が記載されている（以下の摘記事項は、対応公表公報である特表平１０−５０３６０５号公報の記載内容から抜粋したものであり、摘記個所も上記公表公報の対応するページ及び行により表示してある。）。
２ａ．「【要約】半導体ポリマーの活性層を具える、例えばマトリクス状に配列された画素を有するエレクトロルミネッセンス表示装置の制御装置において、フリッカ及びクロストークを低減する。この制御装置は電圧制御に基づくものとし、この制御においては画素両端間の電圧を１．６Ｖ以上にする。しかし、この制御装置は電流制御に基づくものとし、データパルスの幅でグレーレベルを決定するものとするのが好ましい。」
２ｂ．「１．第１の電極パターンと第２の電極パターンとの間に存在する半導体共役ポリマーの活性層を具え、前記２つの電極パターンの少なくとも一方が放出される光に対し透明であり、且つ前記活性層に正孔を注入するのに好適な材料からなる第１のパターンを具えるエレクトロルミネッセンス装置において、前記第１及び第２電極パターンがオーバラップする区域において、これらの電極パターンが中間のポリマーと相まって画素の一部分を構成し、且つ当該装置は駆動回路を具え、該駆動回路が、動作時に、非選択画素の位置における第１電極パターンに第２電極パターンに対しゼロ又は負の電圧を供給するとともに、選択画素の位置における第１電極パターンに第２電極パターンに対し１．６Ｖ以上の正の電圧を供給することを特徴とするエレクトロルミネッセンス装置。
２．前記正電圧は２０Ｖ以下であることを特徴とする請求項１記載のエレクトロルミネッセンス装置。
３．前記第１及び第２電極パターンがストリップ状の選択電極及びデータ電極を具え、且つ選択時に、前記駆動回路が選択電極に少なくとも５マイクロ秒のパルス幅を有する選択パルスを供給することを特徴とする請求項１又は２記載のエレクトロルミネッセンス装置。
４．前記駆動回路が選択中の画素にほぼ固定値を有する電流を供給するとともに、グレーレベルを選択パルスの幅により決定することを特徴とする請求項３記載のエレクトロルミネッセンス装置。」（【特許請求の範囲】）
２ｃ．「情報表示用、例えばビデオ用のマトリクスディスプレイ及びモニタは行及び列に配列された多数の画素に分割される。特にこのタイプのマトリクスディスプレイの駆動時に問題が通常生ずる。第１の問題は、一つの行電極又は列電極の電圧の変化が（非選択）画素の両端間に意図しない電圧変化の影響を与えるクロストークとして知られている。他の問題はフリッカの問題であり、この問題は特に、例えばビデオ情報又はデータグラフィック情報用に使用されるような大きなマトリクスにおいて発生する。更に、特にビデオ用においては、画素により種々の値の光強度（グレーレベル）を発生させることができる必要がある。」（５頁１行〜８行）
２ｄ．「選択時間は通常は用途及び使用するポリマー材料に依存する。第１及び第２電極パターンがストリップ状選択電極及びデータ電極を具える本発明の装置においては、駆動回路は選択時に選択電極に５マイクロ秒以上のパルス幅を有する選択パルスを供給するものとするのが好ましい。このようなパルス幅では、高い画像周波数を何の問題もなしに実現でき、フリッカを抑える（６０Ｈｚ以上）と同時に多数の行（＞１２５０）を駆動することができる。」（６頁２行〜７行）
２ｅ．「活性層又は発光層１１用に好適な共役ポリマーはポリ（３−アルキルチオフェン）及びポリ（ｐ−フェニレンビニレン）（ＰＰＶ）を主成分とするポリマーである。可溶性共役ポリマーが好ましい。その理由は、これらの活性層を、例えばスピンコーティング法で容易に製造することができるためである。」（７頁２５行〜２８行）
２ｆ．「入力情報１７を、（例えば、ディジタル技術により）、この情報と関連するグレーレベルをパルス幅として記憶するように処理するのが好ましい。列１、２、ｎと関連するトランジスタのベースと関連する電圧変化を図９及び１０に示す。期間ｔ0−ｔ1中、列１と関連するトランジスタは選択されず、列２と関連するトランジスタが1/4ｔL中そのベースで電圧Ｖ0により選択される。この電圧は、抵抗２６とともに、トランジスタ２２が常にＩ0の強度の光を放出する電流を搬送するように選択する（例えば、電圧源２７に接続されたエミッタ抵抗２６の共通接続点の電圧が＋２Ｖのとき０Ｖ）。この場合、画素Ｐ11及びＰ12の光強度はそれぞれ０及び1/4Ｉ0になる。ここでも、同様に、Ｖnonselは、列電極の電圧と無関係に、データ電極と行電極との間の電圧が（ＬＥＤ構造の両端間で、アノードからカソードに見て）常にゼロ又は負になるするように選択する。
　期間ｔ1−ｔ2中、列１と関連するトランジスタが1/2ｔL中そのベースで電圧Ｖ0により選択され、列２と関連するトランジスタがｔL中そのベースで電圧Ｖ0により選択される。この場合、画素Ｐ21及びＰ22の光強度はそれぞれ1/2Ｉ0及びＩ0になる。期間ｔn-1−ｔn中、列１と関連するトランジスタが3/4ｔL中そのベースで電圧Ｖ0により選択され、列２と関連するトランジスタが1/4ｔL中そのベースで電圧Ｖ0により選択される。この場合、画素Ｐn1及びＰn2の光強度はそれぞれ3/4Ｉ0及び1/4Ｉ0になる。
　値Ｉ0の光強度は本例ではパルス幅ｔLのデータパルスで達成されるが、この値はもっと短いパルスで達成することができる。即ち、図９及び１０に示すデータパルスは実際のライン期間ｔLよりはるかに短いパルス幅を有するものとすることができる。」（１０頁２４行〜１１頁１６行）
　
（４）対比・判断
（４−１）本願補正発明と刊行物１に記載の発明との対比
　刊行物１に記載の発明における「複数のエレクトロ・ルミネッセンス素子を有する発光領域」と「エレクトロ・ルミネッセンス・ディスプレイ」は、本願補正発明における「複数の有機発光ピクセルを有する有機発光領域」と「有機発光デバイス」と対比して、それぞれ、「複数の発光ピクセルを有する発光領域」と「発光デバイス」である点で共通する。
　また、刊行物１に記載の発明における「エレクトロ・ルミネッセンス素子に加える電圧をオン・オフ状態に切り換えるためのトランジスタＢ３２」、「スイッチング素子」、「飽和領域で動作するオン状態」、「全く動作しないオフ状態」は、それぞれ、本願補正発明における「ピクセルに加える電力を切り換えるためのスイッチングトランジスタ」、「スイッチ手段」、「完全オン状態」、「完全オフ状態」に相当する。
　そして、刊行物１に記載の発明における「駆動手段は、各スイッチング素子が飽和領域で動作するオン状態と全く動作しないオフ状態との間で動作するように駆動して、対応するエレクトロ・ルミネッセンス素子の点灯・非点灯が選択されるように発光させ、前記エレクトロ・ルミネッセンス素子の１フィールド期間中の発光時間を変えることにより階調を変えるべく、１フィールド期間内を複数個のサブフィールド期間に分割し、サブフィールド期間の１個または複数個の期間に画素を点灯させる時分割階調表示法により輝度調整を行うようにする」点は、本願補正発明における「駆動手段は、各スイッチ手段が完全オフ状態と完全オン状態とを３０Ｈｚまたはそれ以上の周期で繰り返すように駆動して対応するピクセルを発光させ、前記ピクセルの平均輝度を変化させるように前記完全オフ状態および前記完全オン状態の期間を可変として所望の輝度を得るようにし、さらに前記スイッチ手段が表示フレーム当たり一回以上オンオフされる」点と対比して、「駆動手段は、各スイッチ手段が完全オフ状態と完全オン状態とを繰り返すように駆動して対応するピクセルを発光させ、前記ピクセルの平均輝度を変化させるように時分割変調して所望の輝度を得るよう」にする点で共通する。
　そうすると、本願補正発明と刊行物１に記載の発明の両者は、以下の点でそれぞれ、一致ならびに相違するものと認められる。
　一致点．「複数の発光ピクセルを有する発光領域と、
　個々のピクセルに対応して設けられ、前記ピクセルに加える電力を切り換えるためのスイッチングトランジスタを有するスイッチ手段と、
　前記各スイッチ手段を駆動する駆動手段と、を具備してなり、　
　前記駆動手段は、前記各スイッチ手段が完全オフ状態と完全オン状態とを繰り返すように駆動して前記対応するピクセルを発光させ、前記ピクセルの平均輝度を変化させるように時分割変調して所望の輝度を得るようにする発光デバイス。」
　相違点Ａ．複数の発光ピクセルを有する発光領域を備えた発光デバイスとして、本願補正発明が、有機発光ピクセルを有する有機発光領域を備えた有機発光デバイスであるのに対し、刊行物１に記載の発明は、いずれも有機材料をもって構成されていない点。
　相違点Ｂ．本願補正発明は、スイッチ手段の駆動を３０Ｈｚまたはそれ以上の周期で繰り返すようにするとともに、前記ピクセルの平均輝度を変化させるように前記完全オフ状態および前記完全オン状態の期間を可変として所望の輝度を得るようにし、さらに前記スイッチ手段が表示フレーム当たり一回以上オンオフされるのに対し、刊行物１に記載の発明は、１フィールド期間中の発光時間を変えることにより所望の輝度を得る方式として、１フィールド期間内を複数個のサブフィールド期間に分割し、時分割階調表示法により輝度調整を行う点。
　
（４−２）相違点の検討
　i．相違点Ａについて
　刊行物２には、有機材料として半導体ポリマーの活性層を具える、複数の有機エレクトロルミネッセンス素子を有する表示装置が開示されており、この様な有機エレクトロルミネッセンス素子を有する表示装置は、周知（例えば、刊行物２の他に当審が補正の却下の決定で引用した刊行物３である特開平８−２３４６８３号公報〔特許請求の範囲の請求項１、段落【０００２】、図１〕参照。以下「周知技術Ａ」という。）である。
　そうすると、刊行物１に記載の発明に示される発光ピクセルについて、前記刊行物２に記載の発明あるいは前記周知技術Ａに示される有機エレクトロルミネッセンス素子の構成を採用して、前記相違点Ａに係る本願補正発明のように構成することは、当業者が容易に想到できるものである。
　ii．相違点Ｂについて
　まず、刊行物１に記載の発明は、表示フレーム期間として１フィールド期間１６．６ｍｓを複数個のサブフィールド期間に分割し、時分割階調表示法により輝度調整を行うものであるところ、これによりフレーム周波数６０Ｈｚを基本とする１フィールド期間に複数個のサブフィールド期間においてピクセルが発光することにより、スイッチ手段が完全オフ状態と完全オン状態とを６０Ｈｚまたはそれ以上の周期で繰り返すように駆動されるものであるから、本願補正発明のスイッチ手段が３０Ｈｚまたはそれ以上の周期で繰り返して駆動される構成に含まれるものであり、しかも、表示フレーム当たり一回以上オンオフされるものであることも明らかであるからして、結局、前記相違点Ｂに係る本願補正発明の構成は、実質的な相違点ではないもの、あるいは、当業者が刊行物１に記載の発明に基づいて容易に想到できるものというべきである。
　さらに、前記相違点Ｂに係る本願補正発明の想到容易性について、刊行物２に記載の発明及び本願出願当時の周知技術に基づいて検討する。
　刊行物２には、発光ピクセルの輝度について、発光ピクセルに印加される電圧のオンオフ期間の割合（デューティ）を可変とするパルス幅に応じて、所望のグレーレベル（中間輝度）としての階調が決定されるパルス幅変調方式の表示装置が開示されており、また、フリッカを抑えるために駆動周波数を６０Ｈｚ以上とする技術が示されている。
　ところで、発光ピクセルの平均輝度が表示フレーム期間において印加される電圧のオンオフ期間の割合（デューティ）によって決定されることを前提に、当該表示フレーム期間においてピクセルを発光させるべく印加される電圧のオン期間に相当する同一パルス幅からなる所定の複数パルスをもって表示フレーム当たり一回以上オンオフして駆動する技術は、周知（例えば、当審が補正の却下の決定で引用した刊行物４である特開平８−１６０９１１号公報〔段落【０００２】、図１〕参照。その他に特開平８−２１１８４５号公報〔特許請求の範囲の請求項１乃至２、段落【００１４】〜【００１５】、【００２１】〜【００２２】、図６、図９〕、特開平９−２５１２８０号公報〔特許請求の範囲の請求項１乃至２、段落【０００９】〜【００１０】、図４〕参照。以下「周知技術Ｂ」という。）である。
　そうすると、刊行物１及び２に記載の発明並びに前記周知技術Ｂは、１フィールド期間中あるいは１表示フレーム期間中のピクセルの発光時間を変えることにより所望の輝度を得る方式として共通するから、刊行物１に記載の発明に示される、１フィールド期間内を複数個のサブフィールド期間に分割し、時分割階調表示法により輝度調整を行う技術に代えて、前記刊行物２に記載の発明に示されるパルス幅変調方式の技術及び前記周知技術Ｂに示されるパルス数変調方式の技術を適用して、前記相違点Ｂに係る本願補正発明のように構成することは、当業者が容易に想到できるものである。
　iii．作用効果について
　本願補正発明の作用効果は、刊行物１及び２に記載の発明並びに前記周知技術Ａ及びＢに基づいて、当業者が容易に予測できるものである。
　iv．請求人の主張について
　請求人は、本願補正発明の３０Ｈｚという周波数は一般的なフリッカーを感じる周波数６０Ｈｚよりはるかに低い周波数であり、むしろ特別の値とも言うべき数値となっている旨を主張している。
　しかしながら、本願補正発明は、「３０Ｈｚまたはそれ以上の周期」と規定されるように、周波数「３０Ｈｚ」を発明の必須の構成要件とするものではなく、それ以上の周波数である「６０Ｈｚ」であってもよいものであり、また、一般にフリッカーを感じる周波数が「５〜２０Ｈｚ」であることは、技術常識（例えば、特開平９−２５８６８９号公報の段落【０００５】参照。）であるから、フリッカーを感じさせない周波数として前記２０Ｈｚからある程度離間した「３０Ｈｚまたはそれ以上の周期」を設定することは、当業者が適宜になし得る単なる設計的事項の範疇というべきであり、いずれにせよ、請求人の上記主張は失当である。
　　
（５）まとめ
　したがって、本願補正発明は、刊行物１及び２に記載の発明並びに前記周知技術Ａ及びＢに基づいて、当業者が容易に発明をすることができたものであって、特許法第２９条第２項の規定により特許出願の際独立して特許を受けることができるものではないから、平成１７年１月１２日付けの手続補正は、特許法第１７条の２第５項において準用する同法第１２６条第５項の規定に違反するものであり、特許法第１５９条第１項において読み替えて準用する同法第５３条第１項の規定により却下すべきものである。
　よって、当審が平成１９年４月１０日付けで平成１７年１月１２日付けの明細書に係る手続補正を却下した決定に誤りがないから、該決定に誤りがあるとする請求人の主張は失当である。
　　　　　
３．本願発明について 
（１）本願発明
　平成１７年１月１２日付けの手続補正を却下した決定に誤りがないから、本願の請求項１乃至１７に係る発明は、平成１６年８月１０日付け手続補正書により補正された明細書の記載からみて、その特許請求の範囲の請求項１乃至１７に記載されたとおりのものであるところ、その請求項１に記載された発明（以下、「本願発明」という。）は、以下のとおりのものである。
　「複数の有機発光ピクセルからなる有機発光領域と、
　個々のピクセルに対応して設けられており、前記ピクセルに加える電力を切り換えるためのトランジスタスイッチを有するスイッチ手段と、
　前記ピクセルに加える電力が相対的に低電力である第１のモードと、前記ピクセルに加える電力が相対的に高電力である第２のモードと、が繰り返されるようにそれぞれの前記スイッチ手段を駆動する駆動手段とを具備し、
　前記第１のモードに対する前記第２のモードの相対的な時間の割り振りを変化させてピクセルの平均輝度を変化させる有機発光デバイスであり、
　前記第１のモードで該トランジスターはオフ状態であり、
　前記第２のモードで該トランジスターはオン状態である
　ことを特徴とする有機発光デバイス。」
　　　　　
（２）平成１９年４月１０日付けの拒絶理由通知の要約
　平成１９年４月１０日付けの拒絶理由通知は、同日付けの補正の却下の決定を付記して、本願発明が下記の刊行物１乃至５に記載の発明に基いて当業者が容易に発明をすることができたものであるから、特許法第２９条第２項の規定により特許を受けることができるものではないというものである。
　刊行物１：特開平９−１１４４１４号公報
　刊行物２：国際公開９６／３６９５９号
　　　　　（対応公表公報　特表平１０−５０３６０５号公報）
　刊行物３：特開平８−２３４６８３号公報
　刊行物４：特開平８−１６０９１１号公報
　刊行物５：特開平１０−１２３７７号公報
　　　
（３）当審の判断
　請求人は、平成１９年１０月１２日付けの意見書において、本願補正発明には進歩性があるから補正の却下の決定が誤りであることを主張するも、本願発明に進歩性がないとした当審の拒絶理由通知に対して争っていない。
　そして、本願発明の構成要件を全て含み、さらに他の構成要件を付加したものに相当する本願補正発明が、上記２．（４）に記載したとおり、刊行物１及び２に記載の発明並びに前記周知技術Ａ及びＢに基づいて当業者が容易に発明をすることができたものであるから、本願発明も、同様の理由により、刊行物１及び２に記載の発明並びに前記周知技術Ａ及びＢに基づいて当業者が容易に発明をすることができたものである。
　　　
（４）むすび
　以上のとおり、本願補正発明に係る当審の補正の却下の決定に誤りがなく、請求人は、本願発明に進歩性がないとした当審の拒絶理由通知に対して争っておらず、また、本願発明は、刊行物１及び２に記載の発明並びに前記周知技術Ａ及びＢに基づいて当業者が容易に発明をすることができたものであるから、特許法第２９条第２項の規定により特許を受けることができない。
　したがって、本願は、特許請求の範囲の請求項２乃至１７に係る発明について検討するまでもなく、拒絶をすべきものである。
　よって、結論のとおり審決する。